(57)【要約】【課題】  開閉操作性とともに障子の閉鎖姿勢において気密水密性も優れている３連式引戸を備えた開口部装置を提供する。【解決手段】  建物開口部の４辺に沿って取り付けられた枠体と該枠体内に３枚の障子を具備する３連式引戸とを有する開口部装置であって、３枚の障子のうち室内外方向中央の障子の連動機構と、連動機構に配置され中央の障子の室内外方向のいずれにも突出せずに中央の障子の移動方向に移動できる第１連動部材と、連動機構に配置され、第１連動部材と平行で反対方向に移動できる第２連動部材と、枠体に設置された枠体側被連動部材と、室内外方向中央の障子の室内側又は室外側のいずれかに取り付けられた障子側被連動部材とを備え、第１連動部材と枠体側被連動部材とを連結させ、第２連動部材と障子側被連動部材とを連結させることにより、２枚の障子を連動して移動する。【選択図】      図４
2006312818.tif 000002
【特許請求の範囲】
【請求項１】
建物開口部の４辺に沿って取り付けられた枠体と、該枠体内に配置された３枚の障子を具備する３連式引戸と、を有する開口部装置であって、
前記３枚の障子のうち室内外方向中央に配置された障子に設けられた連動機構と、
前記連動機構に取り付けられ、前記中央に配置された障子の室内外方向のいずれにも突出することなく前記中央に配置された障子の移動方向に平行に移動可能である第１連動部材と、
前記連動機構に取り付けられ、前記第１連動部材と同時に平行で反対方向に移動可能な第２連動部材と、
前記枠体の内面側に固定された枠体側被連動部材と、
前記中央に配置された障子の室内側又は室外側に配置された障子のうちのいずれか一方に取り付けられた障子側被連動部材と、を備え、
前記第１連動部材と前記枠体側被連動部材とを連結させるとともに、前記第２連動部材と前記障子側被連動部材とを連結させることにより、前記中央に配置された障子又は前記障子側被連動部材を備えた障子のいずれか一方を移動させると、前記中央に配置された障子又は前記障子側被連動部材を備えた障子の他方が連動して移動することを特徴とする開口部装置。
【請求項２】
前記連動機構が、
前記中央に配置された障子の上部の幅方向両端部分に備えられた一対のプーリと、
前記一対のプーリに掛け渡されて取り付けられた環状の線材と、を備え、
前記第１連動部材が前記線材のいずれかの部位に取り付けられるとともに、前記第２連動部材が前記線材の他の部位に取り付けられることを特徴とする請求項１に記載の開口部装置。
【請求項３】
前記連動機構が取り付けられた障子の框が室内側又は室外側の面のいずれか一方にのみ前記第２連動部材の移動の軌道に沿って設けられた溝を備えることにより、該溝の中の室内外方向に通じた前記第２連動部材を移動可能とするとともに、前記連動機構が取り付けられた障子の框の前記室内側又は室外側の面の他方には溝を有しないことを特徴とする請求項１又は２のいずれか一項に記載の開口部装置。
【請求項４】
前記第１連動部材と前記枠体側被連動部材とを磁力により連結させ、及び／又は前記第２連動部材と前記障子側被連動部材とを磁力により連結させることを特徴とする請求項１〜３のいずれか一項に記載の開口部装置。
【発明の詳細な説明】
【技術分野】
【０００１】
本発明は、住宅、公共施設や店舗等の建物の開口部に備えられる３連式引戸を有する開口部装置に関し、詳しくは、３連式引戸の障子に良好な操作性を備えるとともに、気密水密性に優れた３連式引戸を有する開口部装置に関する。
【背景技術】
【０００２】
建物の開口部に備えられる引戸式の開口部装置は、２枚の障子で構成されているものが少なくない。このように２枚の障子から構成されている引戸の場合、その構造により、障子を開放した際に通過に利用できる開口の幅は最大でも開口部の略半分である。
【０００３】
一方で、建物の開口部に備えられる引戸式の開口部装置が、３枚の障子を有しており、開口部装置を開放したときに該３枚の障子が建物開口部の端部に室内外方向に重なって配置される、いわゆる３連式引戸であれば、開口部装置を開放したときに、最大で開口部の２／３の開口幅を確保することができる。このことは、例えば車椅子の通行や大きな荷物の搬出入に関して非常に便利であるとともに、障子を開放したときの開放感や通行の際の快適性等、居住性に関しても好ましいことである。
【０００４】
かかる状況から、３連式引戸の需要は多くなってきている。ところが従来において、３連式引戸の場合、開閉の際に３枚の障子のうち２枚の障子を移動させる必要があり、使用者は２枚の障子を個々に移動しなければならず、使用者に煩雑な感覚を与えていた。このような煩雑さを解消するために、３枚の障子のうちの１枚の障子を開閉操作することにより、他の障子も連動して開閉することができる３連式引戸が特許文献１に開示されている。
【０００５】
特許文献１に記載の３連式引戸によれば、３枚の戸（障子）のうちの中央の戸（障子）に連動装置を取り付け、該連動装置に備えられた２つの突起のそれぞれを他の戸（障子）に設けた凹部に差し込むことにより、連動して２枚の戸（障子）の開閉を可能にしている。
【特許文献１】特開平１０−６１３２２号公報
【発明の開示】
【発明が解決しようとする課題】
【０００６】
しかし、特許文献１に記載の３連式引戸においては、中央の戸（障子）の連動装置に備えられた２つの突起が、戸（障子の框）に設けられたスリットを貫通して障子の室内方向、室外方向にそれぞれ突出して配置されている。このような場合に、スリットが室内側及び室外側の両方に設けられているため、該スリットを通じた室内外に連通した通路が、戸の上部に形成されてしまうという問題があった。このことは、開口部装置を閉鎖したときにも形成された該通路から外気が流入し、室内の気密水密を低減させてしまうという問題を生じる可能性があった。また、空気の流通のみでなく、風雨の激しいときには雨水等が浸入する虞もあった。
【０００７】
そこで、本発明は、開閉操作性とともに障子の閉鎖姿勢において気密水密性にも優れている３連式引戸を備えた開口部装置を提供することを課題とする。
【課題を解決するための手段】
【０００８】
本発明者らは、鋭意検討した結果、２枚の障子を連動させて開閉することができるとともに、気密水密性に優れた３連式引戸を開発した。以下、本発明について説明する。なお、本発明の理解を容易にするために添付図面の参照符号を括弧書きにて付記するが、それにより本発明が図示の形態に限定されるものではない。
【０００９】
請求項１の発明は、建物開口部の４辺に沿って取り付けられた枠体（１０１、１０２、１０３、１０４）と、該枠体内に配置された３枚の障子（１１０、１３０、１５０）を具備する３連式引戸とを有する開口部装置（１００）であって、３枚の障子のうち室内外方向中央に配置された障子に設けられた連動機構（１４０）と、連動機構に取り付けられ、中央に配置された障子（１３０）の室内外方向のいずれにも突出することなく中央に配置された障子の移動方向に平行に移動可能である第１連動部材（１４４）と、連動機構に取り付けられ、第１連動部材と同時に平行で反対方向に移動可能な第２連動部材（１４５）と、枠体の内面側に固定された枠体側被連動部材（１７０）と、中央に配置された障子の室内側又は室外側に配置された障子のうちのいずれか一方に取り付けられた障子側被連動部材（１５６）とを備え、第１連動部材と枠体側被連動部材とを連結させるとともに、第２連動部材と障子側被連動部材とを連結させることにより、中央に配置された障子又は障子側被連動部材を備えた障子のいずれか一方を移動させると、中央に配置された障子又は障子側被連動部材を備えた障子の他方が連動して移動することを特徴とする開口部装置を提供することにより前記課題を解決する。
【００１０】
ここで「枠体の内面側」とは、上枠の下面側、又は下枠の上面側のことをいう。
【００１１】
請求項２の発明は、請求項１に記載の開口部装置は、連動機構（１４０）が中央に配置された障子（１３０）の上部の幅方向両端部分に備えられた一対のプーリ（１４２、１４３）と一対のプーリに掛け渡されて取り付けられた環状の線材（１４６）とを備え、第１連動部材（１４４）が線材のいずれかの部位に取り付けられるとともに、第２連動部材（１４５）が前記線材の他の部位に取り付けられることを特徴とする。
【００１２】
請求項３の発明は、請求項１又は２のいずれか一項に記載の開口部装置は、連動機構（１４０）が取り付けられた障子の框が室内側又は室外側の面のいずれか一方にのみ、第２連動部材（１４５）の移動の軌道に沿って設けられた溝（１３８）を備えることにより、該溝の中の室内外方向に通じた第２連動部材を移動可能とするとともに、連動機構が取り付けられた障子の框の室内側又は室外側の面の他方には溝を有しないことを特徴とする。
【００１３】
請求項４の発明は、請求項１〜３のいずれか一項に記載の開口部装置は、第１連動部材（１４４）と枠体側被連動部材（１７０）とを磁力により連結させ、及び／又は第２連動部材（１４５）と障子側被連動部材（１５６）とを磁力により連結させることを特徴とする。
【００１４】
本発明において、「連結」とは、接触、非接触を問わない。連動機構と被連動機構とが連動部材を介して追随して移動可能である状態を総括して「連結」と記述する。
【発明の効果】
【００１５】
本発明によれば、３連式の引戸を備える開口部装置において、３枚の障子を連動部材、被連動部材及び連動機構により連結することで、連動機構を備えた障子又は被連動部材を備えた障子のうちのいずれか一方を開閉操作するのみで、他方の障子を連動して移動させることができ、使用者の利便性向上をはかることができる。それに加え、３枚の障子を連動させる機構、部材が室内外に連通する空気通路を形成しないので、気密水密性に優れた開口部装置とすることができる。従って、空気の流通に限らず、雨水等の浸入も防止することができ、使用者の快適性向上に大きく貢献することが可能である。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は本発明の第一実施形態にかかる開口部装置１００が備えられる建物１０００の正面図である。開口部装置１００は玄関の開口部装置として建物１０００に備えられている。建物１０００は、２階建ての住宅であり、該住宅には開口部装置１００の他にも、窓として１階に開口部装置５００、２階には開口部装置６００、７００が備えられている。開口部装置１００は本実施形態では玄関に用いられているが、玄関への使用に限定されるものではなく、例えば窓に適用されても良い。また、屋内外を連通する開口部に用いられることに限定する必要もなく、例えば屋内において部屋と部屋とを連通する開口部に設けられても良い。以上のように本発明の開口部装置は、あらゆる開口部に適用することができる。また、適用される建物の種類も住宅に限定されず、公共施設、店舗、ビル等のあらゆる建物の開口部を対象とすることができる。
【００１９】
図２は、開口部装置１００の正面図である。図２（ａ）は室外側からの正面図、図２（ｂ）は室内側からの正面図である。開口部装置１００は、建物開口部の４辺に沿って備えられた枠体１０１、１０２、１０３、１０４と該枠体１０１、１０２、１０３、１０４の内側に配置された３枚の障子１１０、１３０、１５０とを備えている。３枚の障子１１０、１３０、１５０は、３枚で引戸を構成しており、略平行に配置されている。開口部装置１００を閉鎖した状態で室外側から見たときに、一番室内側で左側に配置される障子１１０は別称、内障子と呼ばれることもある。開口部装置１００では、障子１１０は固定されており、移動ができないようになっている。また、室外側から見たときに、中央に配置される障子１３０は別称で中障子、一番室外側で右側に配置される障子１５０は別称で外障子と呼ばれることもある。開口部装置１００では、通常は該障子１５０の開閉操作を行うことにより開口部装置１００の開閉を行う。
【００２０】
開口部装置１００では、図２（ａ）に示した室外側からみた場合、中央に配置される障子１３０の上部にスリット１３８が確認できる。しかし図２（ｂ）に示したように室内側から開口部装置１００を見た場合には障子１３０の上部にスリットはない。従って、開口部装置１００においては框１３４の室外方向に面した部位にのみスリット１３８が設けられているので、該スリット１３８を介した室内外に連通する通路は形成されない。これにより気密水密性の優れた３連式引戸を備えた開口部装置とすることができる。
【００２１】
本発明の開口部装置における３枚の障子の配置は開口部装置１００のような位置関係にあることに限定されるものではない。例えば、一番左側を室外側に配置し、外障子として、一番右側の障子を内障子としてもよい。また、内障子は必ずしも移動ができないように固定されている必要はなく、移動可能としておき、場合によって内障子を開閉することとしても良い。
【００２２】
３枚の障子１１０、１３０、１５０は、それぞれパネル１１１、１３１、１５１と、該パネル１１１、１３１、１５１の４辺に取り付けられ、枠体１０１、１０２、１０３、１０４と接して配置される框１１２、１１３（図３参照）、１１４、１１５、１３２、１３３（図３参照）、１３４、１３５、１５２、１５３（図３参照）、１５４、１５５とを備えている。障子１３０、１５０の下部には、不図示の車輪が備えられ、枠体１０４に設けられた不図示のレールと合わせられ、障子が移動可能となっている。また、障子１５０の上部には障子側被連動部材１５６（図３参照）が、障子１３０の上部には連動機構１４０（図６参照）が備えることにより障子１３０と障子１５０とが連動している。被連動部材及び連動機構の詳細は後で説明する。さらに、障子１５０には、把手１０５及び施錠装置１０６、１０６が備えられている。通常、使用者は該把手１０５により開閉操作を行い、開口部装置の施解錠を施錠装置１０６、１０６により行うことができる。
【００２３】
図３は、３枚の障子１１０、１３０、１５０を枠体１０１、１０２、１０３、１０４から取りはずして並べ、障子１１０、１３０、１５０の上部に注目して示した斜視図である。図３において紙面右上が室内側、紙面左下が室外側である。障子１３０は、その上部に連動機構１４０（図６参照）を備えている。連動機構１４０については後で詳しく説明するが、連動機構１４０には、第１連動部材１４４及び第２連動部材１４５が備えられている。第１連動部材１４４は框１３４から上方に突出して配置され、障子１３０の移動の方向に平行に動くことができる。一方、第２連動部材１４５は框１３４に設けられたスリット１３８に沿って移動することができるようになっている。また、障子１３０の上部には車輪１３６、１３７が取り付けられている。該車輪１３６、１３７は枠体１０３の内壁に接して配置され、障子１３０が円滑に開閉することを助けている。
【００２４】
障子１５０の上部の室内側には、障子側被連動部材１５６が取り付けられている。障子側被連動部材１５６は、室内側に障子１５０の移動方向と略平行な面を露出した磁石を備えている。後述するように、該磁石の露出面が第２連動部材１４５を介して連動機構１４０（図６参照）に連結されることにより、障子側被連動部材１５６は連動機構１４０と連結することができる。また、障子１５０の上部には車輪１５７、１５８が取り付けられている。該車輪１５７、１５８は枠体１０３の内壁に接して配置され、障子１５０が円滑に開閉移動することを助けている。
【００２５】
図４は、障子１３０の上部を示した平面図である。図４（ａ）は室内側から見た正面図、図４（ｂ）は室外側から見た正面図、図４（ｃ）は上面図、図４（ｄ）は側面図である。図４からもわかるように、第１連動部材１４４は框１３４の上部から上方向に突出して配置され、第２連動部材１４５は、框１３４の室外側にスリット１３８を通して突出して配置されている。また、框１３４の室内側にはスリット等の開口した部分はなく、スリット１３８は框１３４の室外側のみにある。
【００２６】
図５は、框１３４の上部における断面図である。理解しやすさのため同時に第１連動部材１４４及び第２連動部材１４５も示した。図５においては紙面左が室外側、紙面右が室内側である。図５に示したように、第１連動部材１４４は框１３４の上部の開口部から上方へ突出して配置されている。また、第２連動部材１４５は、框１３４の室外側側面に設けられた開口から室外側に突出して配置されている。これにより框１３４の室内側には開口部がないので、框１３４を通じる通路が形成されず、気密水密性の優れた開口部装置１００とすることができる。
【００２７】
図６は、連動機構１４０の斜視図である。図６では、紙面右上が室内側、紙面左下が室外側である。連動機構１４０は障子１３０の上部における框１３２、１３３、１３４の内側に備えられている。連動機構１４０は、基体１４１と、基体の両端にその中心を軸として回動可能に取り付けられた一対のプーリ１４２、１４３と、該一対のプーリ１４２、１４３に掛け渡して取り付けられた環状の線材１４６とを有している。線材１４６は見易さのため破線で示している（以後、同様に線材１４６は破線で示す。）。さらに、線材１４６のうち、室内側の部位１４６ａの一部には第１連動部材１４４、室外側の部位１４６ｂの一部には第２連動部材１４５が取り付けられている。連動機構１４０の長さ（プーリの間隔方向）は、障子１３０の上部の内側に隠蔽可能に入る大きさとなっている。第１連動部材１４４及び第２連動部材１４５は、それぞれ取付部材１４４ｂ、１４５ｂを備えており、該取付部材１４４ｂ、１４５ｂが線材１４６ａ、１４６ｂに固定されて取付けられている。そして取付部材１４４ｂには、室内外方向に平行な一面を露出するように磁石１４４ａが配置される。一方、取付部材１４５ｂには、障子１３０の移動方向に平行な一面を露出するように磁石１４５ａが取り付けられる。従って、第１連動部材１４４の磁石１４４ａは室外側から見て右側に１面を露出し、第２連動部材１４５の磁石１４５ａは室外側に１面を露出して配置されている。また、磁石１４４ａは框１３４の上部から、磁石１４５ａは框１３４のスリット１３８（図３参照）からそれぞれ框１３４の外に突出している。
【００２８】
連動機構１４０によれば、線材１４６に障子の開閉方向の力が加わるとプーリが回動し、線材１４６及び線材に取り付けられた第１及び第２連動部材１４４、１４５も水平に移動することができる。このとき第１及び第２連動部材１４４、１４５はその機構により互いに反対方向に移動する。また、この際、第１連動部材１４４は障子１３０の室内外方向に突出することなく移動し、第２連動部材１４５は図３に示したスリット１３８に沿って移動する。
【００２９】
次に、開口部装置１００の各構成部材の位置関係について説明する。図７は、開口部装置１００が閉鎖された姿勢の室外側正面図の上部に注目し、理解しやすさのために模式的に示した図である。図７においては、見やすさのため、部材を適宜透視したり、破線で示したりしている。開口部装置１００が閉鎖されている姿勢で、第１連動部材１４４は、連動機構１４０の左端部近くに位置し、該位置において枠体１０３に固定して取り付けられた枠体側被連動部材１７０と磁力により連結している。枠体側被連動部材１７０は枠体１０３（図２参照）の内面側に取り付けられ、外観視からは隠蔽されて配置されている。また、枠体側被連動部材１７０は略Ｌ字形の形状をしており、Ｌ字形のうちの一辺を枠体１０３の内面側の水平部分に接して取り付けられている。従ってＬ字形のうちの他の一辺は、上下方向に配置される。該上下方向に配置された部分のうちの室外側からみて左側の一面に磁石１７０ａが取り付けられている。該磁石１７０ａが第１連動部材１４４の磁石１４４ａと磁力により連結している。以上のような枠体側被連動部材１７０と第１連動部材１４４との連結により、枠体１０３と障子１３０とが連結する。
【００３０】
図８は、開口部装置１００が閉鎖された姿勢における上面図を理解しやすさのために模式的に示した図である。図８では見やすさのため部材を適宜透視している。また図８の紙面上が室内側、紙面下が室外側である。開口部装置１００はその閉鎖の姿勢で、障子１１０と障子１３０と、及び障子１３０と障子１５０とは、互いにその幅方向端部が重なった状態で配置される。該状態における障子１３０と障子１５０とが重なった部分で、障子側被連動部材１５６と第２連動部材１４５とを対面して配置する。このとき、障子側被連動部材１５６と第２連動部材１４５とは、障子１５０及び障子１３０から突出して配置されてはいるが、互いに移動の軌道上に存在せず、側面で衝突することはない。障子側被連動部材１５６及び第２連動部材１４５は磁石の障子の移動方向に略平行な一面を露出して取り付けられているので、互いに室内外方向に引き寄せる磁力によって連結した状態となる。以上のように配置することにより、障子側被連動部材１５６と第２連動部材１４５とが連結し、障子１５０と障子１３０とが連結する。
【００３１】
図９は、図７及び図８の状態から障子１５０を操作し、開口部装置１００を開放するときの様子を示した開口部装置１００の上面図である。図９（ａ）は閉鎖状態、図９（ｂ）は途中まで開放した状態、図９（ｃ）は開放が完了した状態を示している。図９（ａ）の状態から、障子１５０を直線矢印で示した方向に移動すると、障子１５０に取り付けられた障子側被連動部材１５６も障子１５０に追随して移動する。このとき障子側被連動部材１５６と第２連動部材１４５とは前述の通り連結しているので、第２連動部材１４５も障子側被連動部材１５６に追随して移動する。そして該移動に伴い、線材１４６の室外側部分が紙面左側へ移動し、これによって線材１４６の室内側部分が紙面右側へ移動する。さらに、線材１４６の室内側に取り付けられている第１連動部材１４４が線材１４６の移動に追随して移動する。しかし第１連動部材１４４は、枠体１０３に固定された枠体側被連動部材１７０に連結しているため、その位置を変えることができず、その代わりに障子１３０が紙面左側へ移動する。以上のような各部材の関係により障子１３０、１５０は連動して移動し、開口部装置１００においては、障子１５０を開閉することにより障子１３０も連動して移動することができる。このとき、連動機構１４０の性質により障子１５０の移動量と障子１３０の移動量との比は２：１の関係にあり、障子１３０と障子１５０とを略同一幅にしておけば、障子１５０が開放完了の位置に達したとき、障子１３０もほぼ同時に開放完了の位置に達する。また、逆に図９（ｃ）の開放状態から開口部装置１００を閉鎖するためには、上述の移動を遡るような移動をすればよい。
【００３２】
以上のように、開口部装置１００においては、連動機構１４０に備えられた２つの連動部材のうちの一方が障子ではなく、枠体と連結することによって、框に連動部材の移動のために必要なスリットを框の室内外のいずれか一方のみに設ければよい。これにより、スリットの開口を出入口とした室内外を連通する通路が形成されないので、引戸が連動するという利便性を維持するとともに、気密水密性に優れた３連式引戸と備えた開口部装置とすることができる。
【００３３】
以上において、枠体側被連動部材と第１連動部材と、及び障子側被連動部材と第２連動部材との関係において、両者が共に磁石を備える場合を示したが、磁力による連結が成されれば良く、必ずしも共に磁石である必要はない。例えば第１連動部材及び第２連動部材がともに磁力によって吸着する金属等によって構成され、枠体側被連動部材及び障子側被連動部材のみが磁石を備えていても良い。また逆に、枠体側被連動部材及び障子側被連動部材が磁力によって吸着する金属等によって構成され、第１及び第２連動部材のみが磁石を備えていても良い。
【００３４】
また、ここで使用される磁石の種類は特に限定されるものではなく、例えばネオジム磁石、フェライト磁石、アルニコ磁石、ＳｍＣｏ磁石、ラバー磁石、プラスチック磁石等が挙げられ、あらゆる種類の磁石を適用することができる。
【００３５】
図１０は、第二実施形態にかかる開口部装置２００の室内外方向中央に配置される障子２３０の上部を模式的に示した室外側正面図である。開口部装置２００では、第１連動部材２４４と枠体側連動部材２７０とが、開口部装置１００とは異なり、機械的に連結しているものである。具体的には、開口部装置２００は、障子２３０の上部から上方へ突出して配置された第１連動部材２４４と、枠体の内面側上面に設けられ、第１連動部材２４４が挿入可能である凹状である枠体側被連動部材２７０とを備えている。これにより第１連動部材２４４が枠体側被連動部材２７０に挿入され、第１連動部材２４４と枠体側被連動部材２７０とが連結される。開口部装置２００においても開口部装置１００と同じ効果を有するので、障子が連動して開閉可能であるという利便性を保持するとともに、気密水密性の優れた開口部装置とすることができる。
【００３６】
図１１は、第三実施形態にかかる開口部装置３００の上面図を模式的に示したものである。開口部装置３００では、第２連動部材３４５と障子側連動部材３５６とが、開口部装置１００と異なり、機械的に連結しているものである。具体的には、開口部装置３００は、障子３３０の上部の框の室外側の面からスリットを介して室外側へ突出して配置された第２連動部材３４５と、障子３５０の上部室内側端部に設けられ、第２連動部材３４５が挿入可能である凹状である障子側被連動部材３５６とを備えている。これにより第２連動部材３４５が障子側被連動部材３５６に挿入されることにより、第２連動部材３４５と障子側被連動部材３５６とが連結される。開口部装置３００においても開口部装置１００と同じ効果を有するので、障子が連動して開閉可能であるという利便性を保持するとともに、気密水密性の優れた開口部装置とすることができる。
【００３７】
さらに、図示はしないが、開口部装置２００の第１連動部材及び枠体側被連動部材と、開口部装置３００の第２連動部材及び障子側被連動部材とを適用し、全ての連結が機械的な連結である開口部装置としても良い。また、各連結において凹凸の関係が逆となっても良い。いずれにおいても、連動して移動可能な３連式引戸であるとともに、気密水密性に優れた開口部装置とすることができる。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３９】
【図１】本発明の第一実施形態にかかる開口部装置が備えられる建物の正面図である。
【図２】第一実施形態にかかる開口部装置を室内側及び室外側から見た正面図である。
【図３】第一実施形態にかかる開口部装置の３枚の障子を枠体から取りはずして並べ、障子の上部に注目して示した斜視図である。
【図４】第一実施形態のかかる開口部装置の室内外方向中央に配置される障子の正面図である。
【図５】第一実施形態にかかる開口部装置の連動機構か取り付けられる部分における断面図である。
【図６】第一実施形態にかかる開口部装置の連動機構の斜視図である。
【図７】開口部装置を閉鎖した状態における第一実施形態にかかる開口部装置の室外側正面図である。
【図８】開口部装置を閉鎖した状態における第一実施形態にかかる開口部装置の上面図である。
【図９】図７及び図８の状態から障子を操作し、開口部装置を開放するときの様子を示した開口部装置の上面図である。
【図１０】第二実施形態にかかる開口部装置の室内外方向中央に配置される障子の室外側正面図である。
【図１１】第三実施形態にかかる本発明の開口部装置の上面図である。
【符号の説明】
【００４０】
１００  開口部装置
１０１  枠体
１０２  枠体
１０３  枠体
１０４  枠体
１１０  障子
１３０  障子
１４０  連動機構
１４４  第１連動部材
１４５  第２連動部材
１５０  障子
１５６  障子側被連動部材
１７０  枠体側被連動部材
【図１】
2006312818.tif 000003
【図２】
2006312818.tif 000004
【図３】
2006312818.tif 000005
【図４】
2006312818.tif 000006
【図５】
2006312818.tif 000007
【図６】
2006312818.tif 000008
【図７】
2006312818.tif 000009
【図８】
2006312818.tif 000010
【図９】
2006312818.tif 000011
【図１０】
2006312818.tif 000012
【図１１】
2006312818.tif 000013